(57)【要約】【課題】温度変化でクリップが伸縮する際、ランプの周方向への相対移動をなくし、この相対移動によるきしみ音の発生をなくするクリップ及び光源装置を提供する。【解決手段】断面円筒形をなすランプ２の二つの周方向位置に当接する当接部３１，３２を有する二つの挾持片３４，３５と、二つの挾持片３４，３５を保持し、ランプ２の周面に当接する当接部３３が挾持片３４，３５間に設けられている保持台３６とを備え、熱膨張時に当接部３１，３２，３３を撓ませるべき空洞３ａ，３ｂ，３ｃを挾持片３４，３５、保持台３６に設け、当接部３１，３２，３３の撓みにより熱膨張を吸収し、ランプ２と当接部３１，３２，３３とが相対移動することによるきしみ音の発生をなくするようにした。【選択図】図３
2008108626.tif 000002
【特許請求の範囲】
【請求項１】
断面円筒形をなすランプの複数の周方向位置に当接すべき複数の当接部及び該当接部に押圧力を加えてランプを挾持すべき二つの挾持片を有するクリップにおいて、前記当接部の少なくとも一つは前記ランプの径方向への撓みを可能にしてあることを特徴とするクリップ。
【請求項２】
前記当接部の撓みを許容する空洞を有する請求項１記載のクリップ。
【請求項３】
前記当接部は前記ランプの周方向の三等分位置に対応する三つの位置に有する請求項１又は２記載のクリップ。
【請求項４】
前記二つの挾持片を保持する保持台を有し、前記撓みを可能とした当接部の一つは前記保持台に設けてある請求項１乃至３のいずれか一つに記載のクリップ。
【請求項５】
並置される複数本のランプと、該ランプを支持する支持部材と、請求項１乃至４のいずれか一つに記載のクリップとを備えることを特徴とする光源装置。
【発明の詳細な説明】
【技術分野】
【０００１】
本発明は断面円筒形をなすランプを挾持するクリップ及び液晶表示装置等の表示装置の光源として使用される光源装置に関する。
【背景技術】
【０００２】
テレビ等の表示装置は、画像を表示する表示面を前側に有する表示部の後側に光源装置が配されている。
【０００３】
光源装置は、後壁に複数の係止孔を有し、前側が開放されている支持部材と、該支持部材内に上下に並置される複数本の断面円筒形をなすランプと、該ランプの両端部を前記後壁に保持するホルダと、前記ランプの中間部を前記後壁に保持する複数のクリップとを備える（例えば、特許文献１参照）。
【０００４】
図６は従来のクリップの構成を示す正面図である。クリップは、ランプ１００の二つの周方向位置に各当接すべき当接部１０１，１０２を一端部に有し、い字形をなす二つの挾持片１０３，１０４と、該挾持片１０３，１０４の他端を保持し、前記ランプ１００の周面に当接する当接部１０５を有する保持台１０６と、前記後壁の取付孔に挿嵌係止されることにより前記保持台１０６を後壁に取付ける取付部１０７とを備え、合成樹脂材料により成形されている。そして、取付部１０７が後壁の取付孔に取付けられた状態で前記ランプ１００が二つの挾持片１０３，１０４間に挿嵌されるとき、二つの挾持片１０３，１０４の当接部１０１，１０２にランプ１００の周面が各当接し、二つの挾持片１０３，１０４が離隔方向へ撓みつつランプ１００が挾持片１０３，１０４間に挿嵌され、保持台１０６の当接部１０５にランプ１００の周面が当接し、二つの挾持片１０３，１０４の弾性復元により三つの当接部１０１，１０２，１０５をランプ１００に押圧し、該ランプ１００を挾持するように構成されている。
【０００５】
ところで、図６(a) のように二つの挾持片１０３，１０４の当接部１０１，１０２間の離隔角度θを小さくすると、ランプ１００を挾持片１０３，１０４間に挿嵌し難くなり、ランプ１００の挿脱作業性が悪くなる反面、挾持片１０３，１０４の撓み中心Ｏ１，Ｏ２から当接部１０１，１０２までの挾持スパンＨが長くなり、ランプ１００を外れ難くできる。また、図６(b) のように二つの挾持片１０３，１０４の当接部１０１，１０２間の離隔角度θを大きくすると、ランプ１００を挾持片１０３，１０４間に挿嵌し易くなり、ランプ１００の挿脱作業性を良好にできる反面、挾持片１０３，１０４の撓み中心Ｏ１，Ｏ２から当接部１０１，１０２までの挾持スパンＨが短くなり、ランプ１００が外れ易くなる。
【０００６】
また、光源装置のランプは点灯時に昇温して高温となり、消灯時に降温して常温となる。また、ランプの中間部を挾持するクリップは複数の当接部がランプの周面に接触しているため、ランプの温度変化に対応して温度が変わる。
【特許文献１】特開２００１−２１０１２６号公報
【発明の開示】
【発明が解決しようとする課題】
【０００７】
図７は温度変化により従来のクリップが熱膨張した状態を示す説明図、図８は熱膨張により挾持片が撓んだ状態を示す説明図、図９は挾持片が撓んでいる状態の拡大した説明図である。ところが、ランプ１００は一般的にガラス製であるため、点灯時に昇温しても殆ど熱膨張しないのに対し、クリップは一般的に合成樹脂製であるため、ランプ１００の点灯時に熱膨張し、消灯時に復元することになり、温度変化による伸縮量が多い。因って、クリップが熱膨張するとき、二つの挾持片１０３，１０４が撓み中心Ｏ１，Ｏ２から離隔方向へ撓みつつランプ１００の周面に当接している当接部１０１，１０２の当接位置がランプ１００の周方向へずれ（図９参照）、ランプ１００との間に相対移動が発生し、また、熱膨張しているクリップが復元するとき、二つの挾持片１０３，１０４が撓み中心Ｏ１，Ｏ２から近接方向へ撓みつつランプ１００の周面に当接している当接部１０１，１０２の当接位置がランプ１００の周方向へずれ、ランプ１００との間に相対移動が発生し、これら両方の相対移動によりきしみ音が発生することがあった。
【０００８】
また、図６(a) のように離隔角度θが小さく、且つ挾持スパンＨが長い構成においてクリップが温度変化するとき、図９に示すように前記当接部１０１，１０２の周方向へのずれ量Ａがより一層大きくなり、前記きしみ音がより一層発生し易い。また、図６(b) のように離隔角度θが大きく、且つ挾持スパンＨが短い構成においてクリップが温度変化するとき、前記当接部１０１，１０２の周方向へのずれによりランプ１００がより一層外れ易くなる。
【０００９】
本発明は斯かる事情に鑑みてなされたものであり、主たる目的はランプの複数の周方向位置に当接すべき当接部の少なくとも一つを、ランプの径方向への撓みを可能とすることにより、温度変化でクリップが伸縮する際、ランプの周方向への相対移動をなくし得るクリップを提供することにある。
【００１０】
また、他の目的は撓みを可能とした当接部の撓みを許容する空洞を設けることにより、当接部を撓み可能にした割にコストを低減することができるクリップを提供することにある。
【００１１】
また、他の目的はランプの周方向の三等分位置に対応する三つの位置に当接部を設けることにより、温度変化でクリップが伸縮する際でもランプを外れ難くでき、また、ランプを挾持片間に容易に挿嵌することができるクリップを提供することにある。
【００１２】
また、他の目的は二つの挾持片を保持する保持台を有し、撓みを可能とした当接部の一つを該保持台に設けることにより、温度変化でクリップが伸縮する際、二つの挾持片を離隔方向へ撓ませることなく、ランプの周方向への相対移動をなくし得るクリップを提供することにある。
【００１３】
また、他の目的は並置される複数本のランプと、該ランプを支持する支持部材と、前述のクリップとを備えることにより、ランプと当接部との相対移動によるきしみ音の発生をなくすることができる光源装置を提供することにある。
【課題を解決するための手段】
【００１４】
本発明に係るクリップは、断面円筒形をなすランプの複数の周方向位置に当接すべき複数の当接部及び該当接部に押圧力を加えてランプを挾持すべき二つの挾持片を有するクリップにおいて、前記当接部の少なくとも一つは前記ランプの径方向への撓みを可能にしてあることを特徴とする。
【００１５】
この発明にあっては、温度変化でクリップが伸縮する際、ランプに当接する当接部がランプの径方向へ撓み、ランプの周方向への相対移動をなくし得る。従って、温度変化でクリップが伸縮する際、ランプと当接部との相対移動によるきしみ音の発生をなくし得る。
【００１６】
また、本発明に係るクリップは、前記当接部の撓みを許容する空洞を有することを特徴とする。
【００１７】
この発明にあっては、既存のクリップの一部に空洞を設けることにより、当接部を撓み可能に構成することができるため、当接部を撓み可能にした割にコストを低減することができる。
【００１８】
また、本発明に係るクリップは、前記当接部は前記ランプの周方向の三等分位置に対応する三つの位置に有することを特徴とする。
【００１９】
この発明にあっては、ランプの周方向の三等分位置を径方向に押圧することができるため、温度変化でクリップが伸縮する際でもランプを外れ難くでき、また、ランプを挾持片間に容易に挿嵌することができる。
【００２０】
また、本発明に係るクリップは、前記二つの挾持片を保持する保持台を有し、前記撓みを可能とした当接部の一つは前記保持台に設けてあることを特徴とする。
【００２１】
この発明にあっては、ランプの温度変化に対応してクリップが熱膨張するとき、保持台の当接部が、挾持片の当接部と離隔する方向へ撓み、二つの挾持片を離隔方向へ撓ませないため、挾持片による所定の押圧力を得ることができるとともに、ランプの周方向への相対移動をなくすることができ、ランプと当接部との相対移動によるきしみ音の発生をなくすることができる。
【００２２】
また、本発明に係る光源装置は、並置される複数本のランプと、該ランプを支持する支持部材と、前述の発明のクリップとを備えることを特徴とする。
【００２３】
この発明にあっては、ランプの温度変化に対応してクリップが熱膨張するとき、ランプに当接する当接部がランプの径方向へ撓み、ランプの周方向への相対移動を防ぐことができるため、ランプと当接部との相対移動によるきしみ音の発生をなくすることかできる。
【発明の効果】
【００２４】
以上詳述したように本発明によれば、ランプの温度変化に対応してクリップが熱膨張するとき、当接部がランプの径方向へ撓み、ランプの周方向への相対移動をなくし得るため、ランプと当接部との相対移動によるきしみ音の発生をなくし得る。
【００２５】
また、本発明によれば、既存のクリップの一部に空洞を設けることにより、当接部を撓み可能に構成することができるため、当接部を撓み可能にした割にコストを低減することができる。
【００２６】
また、本発明によれば、ランプの三等分位置を径方向に押圧することができるため、温度変化でクリップが伸縮する際でもランプを外れ難くでき、また、ランプを挾持片間に容易に挿嵌することができる。
【００２７】
また、本発明によれば、挾持片による所定の押圧力を得ることができるとともに、ランプの周方向への相対移動をなくすることができ、ランプと当接部との相対移動によるきしみ音の発生をなくすることができる。
【００２８】
また、本発明によれば、ランプの温度変化に対応してクリップが熱膨張するとき、ランプに当接する当接部がランプの径方向へ撓み、ランプの周方向への相対移動を防ぐことができるため、ランプと当接部との相対移動によるきしみ音の発生をなくすることができる。
【発明を実施するための最良の形態】
【００２９】
以下本発明をその実施の形態を示す図面に基づいて詳述する。図１は本発明に係る光源装置の構成を示す分解図、図２は支持部材の構成を示す平面図、図３はクリップの構成を示す正面図である。
【００３０】
図示した光源装置は、直方体をなす枠部１１及び周縁部が枠部１１に結合され、該枠部１１の後側を閉鎖する後壁１２を有し、前側が開放されている箱形をなす支持部材１と、該支持部材１内に上下に並置される断面円筒形をなす複数本のランプ２と、該ランプ２の両端部を枠部の内側に保持するホルダと、前記ランプ２の中間部を後壁１２に保持する複数のクリップ３とを備え、支持部材１の内面部は、ランプ２が発光した光を支持部材１の開放部側に反射させるべき反射面になっている。
【００３１】
ランプ２は両端部に電極を有する冷陰極管であり、夫々のランプ２の電極にインバータ回路基板が接続され、パルス幅変調信号により明るさが制御されるように構成されている。
【００３２】
クリップ３は一つのランプ挾持部を有し、１本のランプ２の中間部を挾持する単数用クリップと、離隔した位置に複数のランプ挾持部を有し、隣合う複数本のランプの中間部を挾持する複数用クリップとがある。この種類が異なるクリップのランプ挾持部の構成は同じであるため、以下単数用クリップについて説明する。
【００３３】
クリップ３はランプ２の周方向の三等分位置に対応する三つの位置でランプ２の周面に各当接する第１〜第３の当接部３１，３２，３３と、ランプ２の径方向に離隔して対向し、第１及び第２の当接部３１，３２をランプ２の周面に押圧してランプ２を挾持すべき第１及び第２の挾持片３４，３５と、支持部材１の反射面に対向し、第１及び第２の挾持片３４，３５を保持する保持台３６と、該保持台３６を後壁１２に取付ける取付部３７とを備える合成樹脂製であり、一体成形されている。
【００３４】
第１〜第３の当接部３１〜３３は略半円形をなし、ランプ２の周面と点接触するように構成されている。
【００３５】
第１及び第２の挾持片３４，３５は略い字形をなし、離隔方向への撓みが可能になっており、第１及び第２の挾持片３４，３５間にランプ２が挿嵌されるとき離隔方向へ撓み、挿嵌後の弾性復元により第１及び第２の当接部３１，３２をランプ２に押圧し、第３の当接部３３がランプ２を押圧するように構成されている。
【００３６】
第１の挾持片３４の一端部内側に第１の当接部３１が一体に設けられており、第２の挾持片３５の一端部内側に第２の当接部３２が一体に設けられている。第１及び第２の挾持片３４，３５の一端部には第１及び第２の当接部３１，３２を可撓にすべき空洞３ａ，３ｂが設けられている。
【００３７】
空洞３ａ，３ｂはランプ２と平行の方向へ挾持片３４，３５を貫通する貫通孔であり、第１及び第２の当接部３１，３２と空洞３ａ，３ｂとの間の厚さを比較的薄くし、クリップ３が熱膨張するとき第１及び第２の当接部３１，３２を空洞３ａ，３ｂ内へ撓ませることができるように構成されている。
【００３８】
第３の当接部３３は第１及び第２の挾持片３４，３５の間に保持台３６と一体に設けられている。保持台３６には第３の当接部３３を可撓にすべき空洞３ｃが設けられている。この空洞３ｃはランプ２と平行の方向へ保持台３６を貫通する貫通孔であり、第３の当接部３３と空洞３ｃとの間の厚さを比較的薄くし、クリップ３が熱膨張するとき第３の当接部３３を空洞３ｃ内へ撓ませることができるように構成されている。
【００３９】
取付部３７は板状の基部３７ａの先端に二つの爪部３７ｂを有し、爪部３７ｂが後記する取付孔１３の孔縁部に係止されることにより保持台３６が後壁１２に取付けられる。
【００４０】
支持部材１の後壁１２にはランプ２の長手方向中央部と対向する位置で、且つランプ２の並置方向へ離隔した位置に複数の取付孔１３がランプ２の本数に対応して設けられている。
【００４１】
以上のように構成された光源装置は、支持部材１の取付孔１３にクリップ３の取付部３７が挿嵌係止され、また、支持部材１内に複数本のランプ２が上下に離隔して並置され、ホルダを枠部１１に取付けることによりランプ２の両端部が支持部材１内に保持されるとともに、ランプ２の中間部（中央部）がクリップ３の挾持片３４，３５間に挿嵌挾持される。
【００４２】
第１及び第２の挾持片３４，３５に設けられている第１及び第２の当接部３１，３２はランプ２の周面位置より内側に配置されており、ランプ２が挾持片３４，３５間に挿嵌されるとき、第１及び第２の当接部３１，３２がランプ２の周面に当接し、第１及び第２の挾持片３４，３５が離隔方向へ撓みつつランプ２が挾持片３４，３５間に挿嵌され、第１及び第２の挾持片３４，３５が近接方向へ弾性復元しつつ第１〜第３の当接部３１，３２，３３に押圧力を加え、第１及び第２の挾持片３４，３５がランプ２を挾持する。このとき、第１及び第２の挾持片３４，３５はランプ２を挾持していない状態に比べて若干離隔方向へ撓んでいる。
【００４３】
また、クリップ３の第１及び第２の挾持片３４，３５に設けられている第１及び第２の当接部３１，３２と、保持台３６に設けられている第３の当接部３３とはランプ２の周方向の三等分位置に対応する三つの位置に等配されているため、第１及び第２の挾持片３４，３５の弾性復元による押圧力を、三等配位置からランプ２の径方向に加えることができ、ランプ２の挾持力を強くすることができる。
【００４４】
図４はクリップが熱膨張した際のランプとの関係を示す説明図、図５は当接部が撓んでいる状態の拡大した説明図である。クリップ３がランプ２を挾持している状態でランプ２が点灯され、クリップ３が熱膨張するとき、撓みが可能になっている第１〜第３の当接部３１，３２，３３に前記押圧力の反力がランプ２の径方向へ加わり、該反力により第１〜第３の当接部３１，３２，３３が空洞３ａ，３ｂ，３ｃ内へ撓み、熱膨張を吸収することができる。この際、第１〜第３の当接部３１，３２，３３は、ランプ２との当接位置がランプ２の周方向へずれることなく空洞３ａ，３ｂ，３ｃ内へ撓むため、ランプ２との間に相対移動をなくすることができる。
【００４５】
ところで、クリップ３の熱膨張により第１〜第３の当接部３１，３２，３３が撓む際、第１及び第２の当接部３１，３２は第１及び第２の挾持片３４，３５を離隔方向へ撓ませつつ空洞３ａ，３ｂ側へ撓むのに対し、第３の当接部３３は自身だけが撓むため、第３の当接部３３の撓み量は第１及び第２の当接部３１，３２の撓み量より多くなる。従って、第１及び第２の挾持片３４，３５に空洞３ａ，３ｂを設けることなく、保持台３６にだけ空洞３ｃを設け、第３の当接部３３だけを撓ませ得るように構成してもよい。また、熱膨張により第１及び第２の当接部３１，３２も撓むため、例えば保持台３６に空洞３ｃを設けることなく、第１及び第２の挾持片３４，３５にだけ空洞３ａ，３ｂを設け、第１及び第２の当接部３１，３２だけを撓ませ得るように構成してもよいし、また、第１及び第２の挾持片３４，３５の一方にだけ空洞３ａ又は３ｂを設け、第１及び第２の当接部３１，３２の一方だけを撓ませ得るように構成してもよい。
【００４６】
尚、以上説明した実施の形態のクリップ３は第１及び第２の挾持片３４，３５の夫々に一つの当接部３１，３２を設けてある構成としたが、その他、第１及び第２の挾持片３４，３５の夫々に複数の当接部を設けてある構成としてもよく、当接部の個数は特に制限されない。
【００４７】
また、空洞３ａ〜３ｃを設けることにより第１〜第３の当接部３１〜３３を撓ませ得るように構成したが、その他、空洞３ａ〜３ｃに代えて第１〜第３の当接部３１〜３３をゴム等の弾性部材で構成するか、又は、第１〜第３の当接部３１〜３３をゴム等の弾性部材により挾持片３４，３５、保持台３６に結合する構成としてもよい。
【００４８】
また、以上説明した実施の形態のクリップ３は略い字形をなす挾持片３４，３５を有する構成としたが、その他、挾持片３４，３５の構成は特に制限されない。
【図面の簡単な説明】
【００４９】
【図１】本発明に係る光源装置の構成を示す分解図である。
【図２】本発明に係る光源装置の支持部材の構成を示す平面図である。
【図３】本発明に係るクリップの構成を示す正面図である。
【図４】本発明に係るクリップが熱膨張した際のランプとの関係を示す説明図である。
【図５】本発明に係るクリップの当接部が撓んでいる状態の拡大した説明図である。
【図６】従来のクリップの構成を示す正面図である。
【図７】温度変化により従来のクリップが熱膨張した状態を示す説明図である。
【図８】熱膨張により従来のクリップの挾持片が撓んだ状態を示す説明図である。
【図９】従来のクリップの挾持片が撓んでいる状態の拡大した説明図である。
【符号の説明】
【００５０】
１    支持部材
２    ランプ
３    クリップ
３ａ〜３ｃ  空洞
３１〜３３  当接部
３４，３５  挾持片
３６  保持台
【図１】
2008108626.tif 000003
【図２】
2008108626.tif 000004
【図３】
2008108626.tif 000005
【図４】
2008108626.tif 000006
【図５】
2008108626.tif 000007
【図６】
2008108626.tif 000008
【図７】
2008108626.tif 000009
【図８】
2008108626.tif 000010
【図９】
2008108626.tif 000011